(57)【特許請求の範囲】
【請求項１】
包装箱が上下複数段に積み重ねられた状態で接合されることにより構成される複合包装箱であって、
前記包装箱は、上下方向の一対の面板と、上記面板の両側面同士を連結する側板と、上記面板の底面同士を連結する底板と、当該底板と対向する位置に設けられた開口部を開閉可能とする蓋部とを有し、
上記底板には、当該底板と上記一方の面板との境界部分から略半円状に膨らむ指入部が形成されているとともに、この指入部の両端部から当該底板と上記他方の面板との境界部分の両端部に直線状につながる二本の切り目線が形成されていることを特徴とする複合包装箱。
【請求項２】
請求項１記載の複合包装箱において、上記包装箱同士は、この包装箱の側板に粘着テープが貼合することにより接合されており、上記包装箱には、その側板の端部から粘着テープが貼合されている箇所にわたり、側部切り目線が形成されていることを特徴とする複合包装箱。
【発明の詳細な説明】
【技術分野】
【０００１】
本発明は、物品を包装する紙箱等に代表される複数の包装箱によって構成される複合包装箱に関するものである。
【背景技術】
【０００２】
環状の蛍光灯等を包装する包装箱であって、解体する際の作業を軽減したものとしては、例えば特許文献１に記載のようなものが存在する。この包装箱は、図９に記載のように、一対の面板１０１同士を連結する底板１０２と、各面板１０１の両側面同士を連結する側板１０３と、当該底板１０２と対向する位置に設けられた開口部分を被覆可能とする蓋板１０４とを有し、面板１０１の縁から離れた位置に指入部１０７を設け、この指入部１０７から面板１０１と底板１０２との境界の両端に至る切り目線１０８が面板１０１に形成されている。
【０００３】
このような包装箱は、図１０に記載のように指入部１０７に指を入れて切り目線１０８沿いに一方の面板１０１を裂き、図１１に記載のように、この裂いた部分、及び、底板１０２を、面板１０１と略一直線をなす位置まで展開し、蓋板１０４を開口した状態で面板１０１と略水平をなす状態まで両側板１０３を倒すことで扁平に解体し、廃棄することができる。
【特許文献１】特開２００２−２１１５４８号公報
【発明の開示】
【発明が解決しようとする課題】
【０００４】
しかしながら、従来技術の指入部１０７は、面板１０１の周縁から離れた位置に設けられ、かつ、かかる指入部１０７から底板１０２の両端に至る切り目線１０８が形成されているため、この箱を扁平に解体する際、底板１０２のみならず面板１０１の一部をも展開することになるため、その分展開した際の面積が大きくなり、廃棄する際、嵩張ることになる。
【０００５】
本発明は、解体する作業が容易で、かつ、コンパクトな状態で廃棄することが出来る包装箱により構成される複合包装箱を提供するものである。
【課題を解決するための手段】
【０００６】
本発明は、包装箱が上下複数段に積み重ねられた状態で接合されることにより構成される複合包装箱であって、前記包装箱は、上下方向の一対の面板と、上記面板の両側面同士を連結する側板と、上記面板の底面同士を連結する底板と、当該底板と対向する位置に設けられた開口部を開閉可能とする蓋部とを有し、上記底板には、当該底板と上記一方の面板との境界部分から略半円状に膨らむ指入部が形成されているとともに、この指入部の両端部から当該底板と上記他方の面板との境界部分の両端部に直線状につながる二本の切り目線が形成されているものである。
【０００７】
このような複合包装箱では、包装箱を展開する場合、切り目線沿いに引き裂いても、展開される部分は略底板のみである。よって、展開した際の面積は最小限に抑えられ、嵩張らない状態で廃棄することが可能となる。
【０００８】
また、指入部が底板に形成されているため、上記包装箱が上下複数段に積み重ねられて構成された複合包装箱では、上記包装箱同士が積み重ねられた部分に上記指入部が隠れてしまうことを阻止できる。したがって、この複合包装体を解体する場合、直接的に上記指入部に指を入れることにより行うことができ、わざわざ上記接合状態を外して上記積み重ねられた部分を露出させてから包装箱の解体を行うという事態を避けることができる。よって、解体する手間を軽減することが可能となる。
【０００９】
また、請求項２記載の発明は、請求項１記載の複合包装箱において、上記包装箱同士は、この包装箱の側板に粘着テープが貼合されることにより接合されており、上記包装箱には、その側板の端部から粘着テープが貼合されている箇所にわたり、側部切り目線が形成されているものである。
【００１０】
この構成を採ると、この複合包装箱を解体する場合、上記側部切り目線に沿って上記包装箱を引き裂くことにより、上記粘着テープも引き裂いたり取り外したりすることが出来、上記包装箱同士が貼合されている状態を解除することが可能となる。したがって、上記複合包装箱を解体する作業の手間を軽減することが可能となる。
【発明の効果】
【００１１】
以上のように本発明によれば、包装箱を展開した際の面積が最小限に抑えられるとともに、包装箱の底板に形成された指入部に直接的に指を入れて複合包装体を解体することができる。
【発明を実施するための最良の形態】
【００１２】
本発明の実施形態について、図１〜図８を用いて説明する。ただし、本発明は以下の実施形態に限定されることはない。
【００１３】
第１参考例（図１〜図３参照）
図１は、第１参考例の包装箱の展開図である。この包装箱１０には、一対の面板１が底板２で繋がれ、各面板１の両側縁に側板３が連なっている。そして、一方の面板１（図１においては上側に位置する面板１）の辺のうち、底板２と対向する辺に繋がるように、蓋板４（蓋部に相当）が設けられ、上記側板３には折曲片５が各々設けられ、蓋板４の先端縁には差込片６が設けられている。
【００１４】
そして、上記一方の面板１のうち、底板２との境界部分Ｋ１の略中央部に接するように指入部７が設けられている。この指入部７は、略半円状であり、その境界線は、ミシン目で形成されており、かかるミシン目を起点に、容易に引き裂くことが可能となっている。
【００１５】
また、指入部７のミシン目に繋がり、かつ、他方の面板１と底板２との境界部分Ｋ２までつながる切り目線８が二本形成されており、かかる二本の切り目線間の距離は、上記他方の面板１と底板２との境界部分Ｋ２に近づくにつれて連続的に大きくなっており、各々の切り目線８の終端は、他方の面板１と底板２との境界部分Ｋ２の両端部Ｔ１、Ｔ２に達している。かかる切り目線８についてもミシン目状に形成され、この線に沿って引き裂くことができるようになっている。
【００１６】
図２は、図１の状態の包装箱を組み立てた状態を示したものである。すなわち、側板３を面板１から起立させて折曲片５を内向させ、一対の面板１及び底板２を折り曲げ、側板３同士を貼り合わせ、蓋板４で開放面を閉止し、差込片６を他方の面板１と折曲片５の間に差し込んで封緘した状態を示している。
【００１７】
この包装箱を廃棄する場合、指入部７に指を差してミシン目を引き裂いて切り目線８沿いに底板２を引き裂き、蓋板４を開いた状態で両側板３を同方向に倒し、扁平にすることにより、図３の状態に解体する。
【００１８】
このような包装箱を展開する場合、切り目線８沿いに引き裂いても、展開される部分は指入部７に該当する部分を除き略底板２の部分のみであり、従来のように面板１の部分が展開されるものと比べ、面積は著しく低減される。よって、展開した際の面積は最小限に抑えられ、従来と比較して嵩張らない状態で廃棄することが可能となる。
【００１９】
また、二本の切り目線８間の距離が、上記他方の面板１と底板２との境界部分Ｋ２に近づくにつれて連続的に大きくなっているため、切り目線に沿ってより円滑に底板を引き裂くことが可能となり、解体作業がさらに円滑に行われる。
【００２０】
第２参考例（図４、図５参照）
以下の第２参考例および本発明の実施形態において、第１参考例と同一部分には同一符号を付して示し、その重複説明を省略する。
【００２１】
図４は、第２参考例の包装箱の展開図を示したものであり、図５は、図４の包装箱を組み立てた状態を示した図である。
【００２２】
この包装箱１０は、一方の面板１において、底板２との境界部分Ｋ１に接する二箇所に指入部７が設けられている。そして、各々の指入部７のミシン目に繋がり、かつ、他方の面板１と底板２との境界部分Ｋ２まで繋がる切り目線８が二本づつ形成されている。この二本の切り目線間の距離は、上記他方の面板１と底板２との境界部分Ｋ２に近づくにつれて大きくなっており、かつ、隣接する切り目線８同士は、上記一方の面板１と底板２との境界部分Ｋ１に接する側においては、隣接する切り目線８同士はそれぞれが指入部７のミシン目に連結されることにより繋がっており、上記他方の面板１と底板２との境界部分Ｋ２に接する側においては、隣接する切り目線８同士が直接繋がっている。そして、これらの切り目線８のうち、最も端に形成されている切り目線８の終端が、他方の面板１と底板２との境界部分の両端部Ｔ１、Ｔ２に達するように形成されている。
【００２３】
この場合、上記面板１と底板２との境界部分Ｋ１、Ｋ２の長さが長くなっても、二本の切り目線間の距離の増大率を大きくする必要がない。よって、切り目線８の引き裂き易さを確保することが可能となる。この場合、特に、上記２つの境界部分Ｋ１、Ｋ２間の距離と比較して、上記面板１と底板２との境界部分Ｋ１、Ｋ２の長さが長い場合において、特に有効である。なお、上記指入部７を設ける箇所は二箇所に限定されず、任意の複数箇所に設けてもよい。
【００２４】
実施形態（図６〜図８参照）
図６に記載の本発明の実施形態にかかる複合包装箱１１は、二個の包装箱１０が上下方向に積み重ねられたものである。なお、図７は、図６に示した包装箱１０の展開図である。
【００２５】
複合包装箱１１を構成する包装箱１０は、指入部７が底板２に形成されている。
【００２６】
また、側板３には、図６において下側の面板１と底板２との境界部分Ｋ２の両端部Ｔ１、Ｔ２、すなわち側板３の端部から、図６において下側の面板１と側板３との境界部分Ｋ４にかけて形成されている。
【００２７】
そして、積み重ねられた包装箱１０の側板３であって側部切り目線９が形成されている箇所に粘着テープ２０が双方の包装箱１０にまたがるように貼り付けられることにより、双方の包装箱１０が接合されている。
【００２８】
この構成を採ると、指入部７は底板２に形成されているため、指入部７が面板１に形成された構成のように、包装箱１０同士が積み重ねられることによって、指入部７が複合包装箱１１の内部に隠れてしまうことを阻止できる。したがって、この複合包装箱１１を解体する場合、直接的に指入部７に指を入れることにより行うことができ、わざわざ上記接合状態を外して指入部７を露出させてから包装箱１０の解体を行うという事態を行うことを回避することができる。よって、複合包装箱１１を解体する手間を軽減することが可能
となる。
【００２９】
さらに、複合包装箱１１を解体するときは、指入部７に指をいれて切り目線８に沿って底板２を引き裂き、この引き裂きによって露出した折曲部５を持った状態で側部切り目線９に沿って包装箱１０を引き裂くことにより、粘着テープ２０の引き裂き又は取り外しを行い、包装箱１０同士が接合されている状態を解除することが可能となる。
【００３０】
すなわち、側部切り目線９に沿って包装箱１０を引き裂くことにより、粘着テープ２０を引き裂いたり取り外したりすることができるため、複合包装箱１１を解体するための作業手間を軽減することが可能となる。
【００３１】
なお、側部切り目線９を形成する箇所としては、図８に図示したとおり、上記両端部Ｔ１、Ｔ２から、図８において上側の面板１と側板３との境界部分Ｋ３にかけた箇所に形成してもよい。
【００３２】
その他実施形態
（１）  指入部７を孔状に形成してもよい。この場合、包装箱を展開した場合の面積は、指入部７の部分だけ削減することが可能なため、より嵩張らない状態で廃棄することが可能となる。
【００３３】
（２）  前記実施形態の側部切り目線９は、必ずしも、図において下側の面板１と底板２との境界部分Ｋ２の端部Ｔ１、Ｔ２から、図６において上側の面板１と側板３との境界部分Ｋ３又は図７において下側の面板１と側板３との境界部分Ｋ４にかけて形成される必要はなく、上記端部Ｔ１、Ｔ２から側板３にかけて形成される、すなわち側部切り目線９の終端が側板３に存在する状態で形成された構成を採ってもよい。
【図面の簡単な説明】
【００３４】
【図１】本発明の第１参考例にかかる包装箱の展開図である。
【図２】本発明の第１参考例にかかる包装箱の組み立て図である。
【図３】本発明の第１参考例にかかる包装箱を展開して廃棄する状態を示した図である。
【図４】本発明の第２参考例にかかる包装箱の展開図である。
【図５】本発明の第２参考例にかかる包装箱の組み立て図である。
【図６】本発明の実施形態にかかる複合包装箱の組み立て図である。
【図７】本発明の実施形態にかかる複合包装箱に使用する包装箱の展開図である。
【図８】本発明の実施形態にかかる複合包装箱の変形例を示した組み立て図である。
【図９】従来の包装箱の組み立て図である。
【図１０】従来の包装箱の展開状況を示した図である。
【図１１】従来の包装箱を展開して廃棄する状況を示した図である。
【符号の説明】
【００３５】
１  面板
２  底板
３  側板
４  蓋板（蓋部に相当）
７  指入部
８  切り目線
９  側部切り目線
１０ 包装箱
１１ 複合包装箱
Ｋ１  一方の面板と底板との境界部分
Ｋ２  他方の面板と底板との境界部分
【図１】
0003974573.tif 000002
【図２】
0003974573.tif 000003
【図３】
0003974573.tif 000004
【図４】
0003974573.tif 000005
【図５】
0003974573.tif 000006
【図６】
0003974573.tif 000007
【図７】
0003974573.tif 000008
【図８】
0003974573.tif 000009
【図９】
0003974573.tif 000010
【図１０】
0003974573.tif 000011
【図１１】
0003974573.tif 000012